Podtech/llm-jp-corpus-v4-ja_patent huggingface dataset:
(57)【要約】【課題】お茶を飲むとき、縁起のよい茶柱を立て、今日、一日、壮快な気分で活躍できるようにすることを目的とする。【解決手段】極薄のオブラートを袋状に形成し、該袋に、粉茶と茶柱を封入して解決した。  これにより、湯呑みに、上記オブラートの袋を入れ、熱湯を注げば、オブラートは瞬時に溶ける。と同時に、お茶も溶け、茶の香りを発散すると共に、オブラートに包み込んだ茶柱が立つので、壮快な気分になり、豊かな気分でお茶を飲むことができる。したがって、今日、一日、さわやかな気分になると共に、お茶飲みに興味を感じ、水分補給を適切に行うことができる。【選択図】図２
2020188751.tif 000002
【特許請求の範囲】
【請求項１】
オブラートを袋状に形成し、該袋に粉茶と茶柱を封入したことを特徴とする茶柱付きオブラート入りお茶
【請求項２】
オブラートの袋は、三角形、多角形、円形、筒形に形成したことを特徴とする請求項１記載の茶柱付きオブラート入りお茶。
【請求項３】
オブラートの袋内に、コーヒまたは、ジュースの粉末を封入したことを特徴とする請求項１と２記載の茶柱付きオブラート入りお茶。
【請求項４】
オブラートの袋に封入する茶柱は、多数の茶柱を水につけ、浮いた茶柱を取り出して乾燥し、各オブラートの袋に、粉茶と該茶柱を入れて封入したことを特徴とするる請求項１記載のオブラート入りお茶の製造方法。
【請求項５】
食材で茶柱状、且、お茶味状で水に浮くようにした疑似茶柱を形成して、粉茶と共に、オブラートの袋に封入したことを特徴とする請求項１と２記載の茶柱付きオブラート入りお茶。
【請求項６】
オブラートの袋内に、粉茶と乾燥した茶葉または製した茶葉を封入したことを特徴とする茶葉付きオブラート入りお茶。
【請求項７】
乾燥した茶葉または製茶葉を単独で販売するようにしたことを特徴とする請求項６記載の茶葉付きオブラート入りお茶。
【発明の詳細な説明】
【技術分野】
【０００１】  本発明は、茶柱付きオブラート入りお茶に関する。
【背景技術】
【０００２】  茶柱が立つお茶は、縁起がよいといれているが、なかなか、お目にかからない。
【発明の概要】
【発明が解決しようとする課題】
【０００３】  お茶を入れるとき、縁起のよい茶柱を立て、今日、一日、壮快な気分で、活動できるようにすることを目的とする。
【課題を解決するための手段】
【０００４】  オブラートを袋状に形成し、該袋に粉茶と茶柱を入れて封入したものである。
なお、オブラートは、薬用のものは、咽を通る時、咽で溶けないように厚くしているが、本発明のオブラートは、湯呑みに入れるだけなので極薄でよく、袋の形状は三角形、多角形、円形、筒形等に形成してもよい。
封入する茶柱は、多数の茶柱を水につけ、浮いた茶柱を取り出して乾燥し、オブラートの袋に、粉茶と該茶柱を入れて封入する。
茶柱が不足するときは、食材で茶柱状、且、お茶味状で、水に浮くようにした疑似茶柱を形成して、粉茶と共に、オブラートの袋に封入する。
更に、本発明の各茶柱を、市販中の茶筒や茶箱等の茶葉中に混入してもよい。
また、本発明は、コーヒ、または、ジュース等の粉末にも応用実施可能である。
【発明の効果】
【０００５】  お茶を飲むときは、本発明を湯呑みに入れ、熱湯を注げば、極薄のオブラートは瞬時に溶けると同時に、お茶も溶け、茶の香りを発散すると共に、オブラートに包み込んだ茶柱が立つので、壮快になり、豊かな気分でお茶を飲むことができる。
したがって、今日、一日、さわやかな気分になると共に、お茶飲みに興味を感じ、水分補給を適切に行うことができる。
なお、オブラートは、極薄で、無味の食材を加工するので、お茶の香りに影響ないと共に、急須など必要ないので、後片付けなどを簡単に行うことができるが、人数が多い時は、急須に人数分の袋を入れ、湯呑みに注いでもよい。
このようにして注ぐと、茶柱が複数入る人と、入らない人もいるが、これも一興である。
【図面の簡単な説明】
【０００６】
【図１】  粉茶と茶柱を長方形のオブラートの袋につめた場合の平面図
【図２】  図１の線Ａ−Ａの縦断面図
【図３】  粉茶と茶柱を筒のオブラートの袋につめた場合の正面図
【図４】  図３の平面図
【発明を実施化するための形態】
【０００７】  オブラートを袋状に形成した該袋１に、粉茶２と茶柱３を封入している。また袋１は極薄に形成すると共に、袋１の形状は三角形、多角形、円形、筒形等に形成する。
また、茶柱が不足するときは、食材で、茶柱状、且、お茶味状で、水に浮くようにした疑似茶柱を形成して、粉茶と共に、オブラートの袋に封入してもよい。
なお、オブラートの袋に入れる茶柱は普通１本がよい。また、茶柱のみ市販してもよい。
【０００８】  応用実施例として、オブラートの袋内に、粉茶と乾燥した茶葉または、製した茶葉を入れて封入したものである
この封入する茶葉は、茶摘みした時のままの茶葉を乾燥または製し、茶葉の形を保持する。
お茶を飲む時は、先づ、湯のみ内に、上記のように構成したオブラートを入れ、熱湯は注げば、オブラートは溶けると同時にお茶の香りを発散すると共に、乾燥した茶葉、または製した茶葉が葉状に広がるので、お茶を心ゆたかに飲まれ、今日一日、飲むほどに、縁起よく過ごすことができる。
なお、茶葉と茶柱を比較すると
茶葉は簡単に集められ、茶葉のまま乾燥するか製する等の簡単な方法でよいが、茶柱は集め難い上製造にも手間がかかるので、茶柱に代えて、茶葉を使用した方がよい。
【０００９】  また、その他の実施例として、乾燥した茶葉または製茶葉を単独で販売してもよい。
【符号の説明】
【００１０】１  袋      ２  粉茶      ３  茶柱
【図１】
2020188751.tif 000003
【図２】
2020188751.tif 000004
【図３】
2020188751.tif 000005
【図４】
2020188751.tif 000006
(57)【要約】      （修正有）【課題】小型で、可能な多種多様を飼育でき、観賞上浄化部が隠れ見えなく邪魔でなく、水荷重を支える場所に収納できる形状の水槽を提供する。【解決手段】底が鋭角片方前面が観賞魚部（Ａ水槽）、片方後方奥に浄化槽（Ｂ水槽）部分からなる平行に接合した水槽で、この観賞正面は上部を開口部切断以外は菱形に近く、水・餌・観賞個体を入れ子込める開口形状の水槽。【選択図】図１
2020188746.tif 000002
【特許請求の範囲】
【請求項１】
自立ができない、底部が９０度前後の水槽
前面観賞用と後方浄化用の２部になった循環式水槽
前面部には拡大観賞用に凸レンズ接合もあり（接合の有無も特許請求範囲内）
【発明の詳細な説明】
【技術分野】
【０００１】  この発明は、２個の接合した正方型水槽を４５度傾けることで鋭角底にし前部を観賞部と後部を浄化部を併せ持った水槽
格子枠を使うことで内に引き出しのごと美しく収納観賞ができる
【背景の技術】
【０００２】従来、ほとんどの水槽が底平らな正方形長方形をしている。自体が底が鋭角をなしたものでごみを集めやすく、為に頑丈な格子枠等での別途支えが必要で自立しない・できない水槽は見当たらないのが現状である。
為に壁面の格子枠内等に多数個収納観賞し易く利点とすることができる
【先行技術文献】
【０００３】
【発明の概要】
【発明が解決しようとする課題】
【０００４】  従来の水槽は底面は平らで長方形・正方形が主で、飼育生物の糞、残餌が底一面に堆積し、飼育上槽内で危険有害なアンモニア・亜硝酸塩の発生し易く水質悪化となり、ために安易に小型化が難しく、水槽内部又は上部・下部に観賞に邪魔なとなる浄化装置の設置は必要不可欠である。
飼育環境上でより小型水槽で、可能な多種多様を飼育でき、観賞上浄化部が隠れ見えなく邪魔でなく水荷重支える場所に収納できる形状の必要もあった。
【課題を解決させるための手段】
【０００５】  底を鋭角にすることで糞や残餌が重力で底部にたまり回収しやすくさせる。
糞、残留餌が鋭角底部に集結することでその部分を、エアーリフトで吸収しＡ水槽からＢ水槽へ気泡とともに汚水部分を移動、浄化好気バクテリア増殖用としての空気を送り込み浄化回収し易くし、よってＢ水槽で水質が好転し、より観賞部の生育水槽小型軽量化が可能である。
水槽の軽量化は多頭飼が水重量から来る床の負担を軽減が可能必須である。
（類似として一つの水槽内での２分割水槽に模した内仕切りの水槽も含む）
片方前面が観賞魚部（Ａ水槽）、片方後方奥に浄化槽（Ｂ水槽）部分からなる平行に接合水槽で、この観賞正面は上部を開口部切断以外は菱形に近く、水・餌・観賞個体を入れ子込める開口形状で、浄化部が後部に隠れるため格子枠状であれば差し込んで壁面一ぱいに多くを飾ることが可能となる。
【発明の効果】
【０００６】  それ自体は、従来にはない平地には自立できない水槽ではあるが、
利点はＡ水槽での糞、残留餌が重力で自動的に底部に集結で、Ｂ水槽へ汚水原因物質を移行浄化回収し易くし浄水がＢ水槽からＡ水槽へ循環し水質が常に良好となり、より小型軽量水槽化が可能である。
その水槽の受け台は、底が９０度のＶ字上または格子枠内、２点の支点上でも観賞できる水槽である。底部が鋭角なため２本の支え棒上でも乗せ吊るしても安定したものである。
壁面を格子枠状にすることで引き出し式より多くの水槽を飾ることができる正面部がＡＢ同形で平行に並びひっかりが起きず常に水槽水量が安定できる。
水の劣化による生体に必要な水交換が長期に不要となる
Ａ水槽の正面部にはには凸状のレンズをつけ拡大し観賞をし易くしてある。
【図面の簡単な説明】
【図１】本発明の正面からの図である。
【図２】本発明の横面からの図である。
【発明を実施するための形態】
【０００８】以下、本発明の実施するための形態について説明する。
水槽内の定位置に張った水を、エアーリフト部（▲１▼ー２）へ空気を送ることで気泡でＡ水槽（▲１▼）からＢ水槽（▲２▼）へ水循環しＢ水槽がいっぱいになったらオーバーフロー箇所から▲３▼）で  Ａ水槽に流れ戻り循環する仕組み
【符号の説明】
【０００９】▲１▼  Ａ水槽
１、糞残餌吸収口部  簀の子状態のアルミ角柱にエアーリフト部をつけたもの
２、エアーリフト部  外管  Ａ水槽からＢ水槽へエアーと汚水の送水管部
内管  空気吐き出し部＋気泡発生エアーストーン
▲２▼  Ｂ水槽  浄化部
１、物理濾過部  ウールマット
２、科学濾過部  活性炭（吸着性浄化剤）
３、生物濾過部  浄化材（ミネラル派生麦飯石・バクテリア活性用ストーン）
４、ウールマット押さえ部（浄化マットを押さえ最終浄化水の場所つくり）
▲３▼水戻り循環部    Ｂ水槽からへＡ水槽へのオーバーフロー部の穴
▲４▼凸状レンズ部
【図１】
2020188746.tif 000003
【図２】
2020188746.tif 000004
(57)【要約】      （修正有）【課題】専門技術なしに、効率的な足指等指圧が可能な方法、および用具を提供する。【解決手段】気密又は水密の二重靴下にし、外側靴下と内側靴下の間のすきまが空気も液体も漏れない袋状の密閉空間とし、本靴下着用者が直立又は歩行した場合は土踏まずの下の袋を抑えることにより、密閉空間内の圧力が高まり、土ふまず、足指の根元、足指の周りの圧力が高まり、指圧効果が生じ、また逆に座ったり足を宙に浮かしたりすると圧が下がり締め付けがなくなるように、空気または液体を入れた構成とする。【選択図】図１
2020188822.tif 000002
【特許請求の範囲】
【請求項１】
気密又は水密の二重靴下を作り、土踏まずの部分に空気または液体の入る袋状の部分を備える。そして、歩行や足に力をかけて立つことにより、何ら機械的な装置を作ることなしに足指や土ふまずに、加圧し指圧の効果を発生できる器具である。従って電機や機械的な装置により指圧の効果を発生することは請求範囲に含まない。
【発明の詳細な説明】
【技術分野】
【０００１】この発明は健康のために、土ふまずや、足の指や指の根元に、指圧をするための用具、足指等指圧用袋状部分付き二重靴下に関するものである。
【背景技術】
【０００２】従来、足の指等に対する指圧やマッサージは健康管理上有効なことは知られてはいたが、適切な用具がなくて、一般人には技術も難しく専門家に頼むと費用がかかるために活用されることが少なかった。
【先行技術文献】
【特許文献】
【０００３】
【特許文献１】
【発明の概要】
【発明が解決しようとする課題】
【０００４】従来の問題点  足の指等に対する一般人にもできる適切な指圧の方法が確立していなかった。適切な用具、器具もなかった。したがって、左右の足の指等に効率的に指圧をすることが困難であった。
本発明は以上の欠点をなくすためになされたものである。
【課題を解決するための手段】
【０００５】本発明は両足の土ふまずや足指指圧に適した足指等指圧用袋状部分付き二重靴下を着用して、歩いたり片方の足に力をかけたり力を抜いたりすることによって、楽にかつ効率的に足のすべての指を加圧したり緩めたりすることにより、一般人でも自分自身で足指等を有効に指圧できるようになっている。
【発明の効果】
【０００６】専門技術なしに効率的な足指等指圧が可能となる。
特に、歩行時に利用すれば特に意識することなくても、自動的に足指等指圧が可能であり楽に効果があげられる。
【図面の簡単な説明】
【０００７】
【図１】左足の上方からの透視図である。太線は外側靴下、点線は内側靴下を示す。
【図２】左足を横から見た透視図である。外側靴下と内側靴下の間のすきまが空気も液体も漏れない袋状の密閉空間になっている。本靴下着用者が直立又は歩行した場合は土踏まずの下の袋を抑えるので、密閉空間内の圧力が高まり、土ふまず、足指の根元、足指の周りの圧力が高まり、指圧効果が生じる。逆に座ったり足を宙に浮かしたりすると圧が下がり締め付けがなくなる。このようにして指圧の効果を生じさせることが出来る。
【発明を実施するための形態】
【０００８】足指の根元から指先までは二重の靴下に包まれている。内側の靴下はゴムのような材質で作られている。内側の靴下は足指にぴったりする寸法であることが望ましい。
外側の靴下はそれよりも少し大きな寸法である。
材質はやや硬くて変形しにくい材料で作成する。その他に土踏まずの部分にふくらみがある。この袋の部分は適当な弾力のある資材で作成される。指の根元より少し後ろの部分で外側靴下と内側靴下は接着されているので、全体として空気漏れも液体漏れもない袋状になっている。従って、足が地面などについてない状態では二重靴下の内部は普通の圧であるが、立ち上がったり歩行のためにその足に力がかかっている場合は加圧状態になり内側靴下が足の指を締め付けることになる。このようにして歩いたり力をかけて立つことにより足指を絞めたり緩めたりする指圧が可能となる。
【符号の説明】
【０００９】空気袋または液袋をＣと表示する。
【図１】
2020188822.tif 000003
【図２】
2020188822.tif 000004
(57)【要約】      （修正有）【課題】後方共鳴器をなくして小さくする。【解決手段】振動板Ｄを共鳴器と一体化する。材料としては、合成樹脂などの発泡材とする。【選択図】図１
2020188444.tif 000002
【特許請求の範囲】
【請求項１】
ムービング  フリー２、スピーカーシステムの小型化を、目的とした開発過程で、発見された、優れた共鳴、共音材として、合成樹脂などによる、発泡材、例えば、発泡スチロール等を、使用した、スピーカーシステムを、含む音響設備による、発泡材の共鳴体、共振体、としての利用。
【発明の詳細な説明】
【技術分野】
【０００１】スピーカーシステム。
【背景技術】
【０００２】ムービング  フリー（特許申請中）
【発明の概要】
【０００５】ムービング  フリー、スピーカーシステムの小型化
【発明が解決しようとする課題】
【０００６】スピーカーシステムの小型化に伴う低音域の減衰による、音域の縮小。
【０００７】平面バッフル振動板と  共鳴器、の最適化。
【発明の効果】
【０００８】ムービング  フリー２、スピーカーシステムは、大きさの割には、極めて高い、音の良好な再現性を持つ。軽量のため、３０ヘルツ以下でも、共鳴器の振動が、可能。
【図面の簡単な説明】
【０００９】
【図１】ムービング  フリー２、正面図、Ａと、  側面図、Ｂと、筺体図Ｃ、共鳴器の図Ｄ、，スピーカー、図Ｅ。後方音波の吸音材、図Ｆ，．スピーカー固定材  図、Ｇ。側面図、Ｂに、於いて、図  ＣとＤの側板は、あるものとする。
【００１０】図面は、簡略図とする。
【発明を実施するための形態】
図面の様に、筺体からの、半、分離構造  。ムービング  フリー２では、形態と、共に、共鳴器の材質が、重要となっている。
【実施例】
【００１１】ムービング  フリー２、スピーカーシステムの自作。幅３２センチ、高さ４２センチ、奥行１３センチ、スピーカー２５センチ、共鳴器の材質が、軽量のため、３０ヘルツ以下まで、振動、共鳴可能。
【産業上の利用可能性】
【００１２】スピーカーシステムの小型化は、場所を、取らず天井、側壁への取付も可能。
【符号の説明】
【００１２】図面１の  Ａ、  ムービング  フリー２正面図図面１の  Ｂ、ムービング  フリー２側面図図面１の  Ｃ、筺体図面１の  Ｄ、前面振動板と、共鳴器の一体化したもの図面１の  Ｅ、  スピーカー図面１の  Ｆ、  吸音材図面１の  Ｇ、スピーカーの吊下げ、または、支持用部材
【図１】
2020188444.tif 000003
(57)【要約】【課題】  有機物を中心とした自然素材の組み合わせで、軽量且つ剛性の高い皮革部材を提供する。【解決手段】  皮革の表面及び界面の少なくとも一方にセルロースナノファイバーを膠着させて剛性を高めた皮革部材であることを特徴とする。【特許請求の範囲】
【請求項１】
皮革の表面及び界面の少なくとも一方にセルロースナノファイバーを膠着させて剛性を高めた皮革部材。
【発明の詳細な説明】
【技術分野】
【０００１】  本発明は、皮革の表面及び界面の少なくとも一方にセルロースナノファイバーを膠着させて剛性を高めた皮革部材である。
【背景技術】
【０００２】  有機物を中心とした自然素材の組み合わせで且つ剛性の高い皮革部材を得る方法は幾つかあり、厚みのある皮革を用いる方法や複層から成る皮革を用いる方法、高硬度な紙製の芯材を皮革の裏側に貼る方法などが従来からある。
【発明の概要】
【発明が解決しようとする課題】
【０００３】  有機物を中心とした自然素材の組み合わせで且つ剛性の高い皮革部材を従来の方法で得ようとする場合、重量が著しく増大してしまうという課題があった。
そこで本発明では、有機物を中心とした自然素材の組み合わせでありながら、重量が著しく増大することなく剛性の高い皮革部材であることを目指した。
【課題を解決するための手段】
【０００４】  十分に膠着させたセルロースナノファイバー固形物は、軽量でありながら高い剛性を有し、同じ厚みの鋼鉄を凌ぐ剛性を有する、有機物を中心とした自然素材である。そこで本発明では、皮革の表面及び界面の少なくとも一方にセルロースナノファイバーを膠着させることで皮革の剛性を高めることにした。
【発明の効果】
【０００５】  有機物を中心とした自然素材の組み合わせでありながら、重量が著しく増大することなく剛性が高い皮革部材となった。本発明の皮革部材を製品の構成部材として用いれば、有機物を中心とした自然素材の組み合わせで、従来よりも軽量且つ剛性の高い皮革製品や軽量でありながら鋼鉄に匹敵する剛性を有する皮革製品を製造することが可能になった。
【発明を実施するための形態】
【０００６】  以下、発明を実施するための形態の例を説明する。
剛性を高めた皮革製品を製造する場合において、目的の形状に裁断された皮革部材の表面にエアブラシ等の器具を用いてセルロースナノファイバーを塗布する。このとき、他の皮革部材と接合するためにセルロースナノファイバーが塗布されては都合の悪い部分については養生などの対策を行う。皮革の表面に塗布されたセルロースナノファイバーを高温乾燥又は自然乾燥にて膠着させれば、本発明ができる。また他にも、複層の皮革で、それぞれの界面にセルロースナノファイバーを膠着させた本発明の形態も考えられる。
得られた本発明を製品の構成部材として用いれば、セルロースナノファイバーによって剛性を高めた皮革製品の製造が可能となる。
尚、膠着させるセルロースナノファイバーの量や厚みの調節により、薄膜且つ軽量で剛性を高めた本発明や、防刃性や防弾性などの特殊な目的に対する剛性を高めた本発明なども考えられる。
(57)【要約】      （修正有）【課題】ガス水道のメーター検針に人が出向かなくても済む検針メーターを提供する。【解決手段】他から電力を供給されることなく、自分でガス水道の風力水流を利用して発電し、通信網に検針データを送信可能とする。次世代電波網に乗せることができ、ガス水道を使用すると発電し検針データを送信する。未使用の時は検針器が動かないが、未使用の時は動く必要性が無く、使用時のみ動く事で、余計な電気を使わずに済む。また、送信のみである為、通信網に乗る時、サーバー認識後の通信課金方式と違い乗せるのにそれほど、タイムラグは無い。【選択図】図１
2020109905.tif 000002
【特許請求の範囲】
【請求項１】
ガス水道のメーター検針を遠隔化する為に、他から電力を供給される事なく、自分で発電し通信網に遠隔検針する事である。
【発明の詳細な説明】
【技術分野】
【０００１】
本発明は、ガス水道のメーター検針を遠隔化するものである。
【０００２】
ガス水道は、風力水流といった発電機に必要なエネルギーが有り、遠隔検針の為に必要な電気を発電する機能を有するものである。
【０００３】
しかし、未使用では発電せず機能を生かせないが、未使用時は検針不要な為、機能しなくても
大丈夫である。
【０００４】
風力水流を発電機とする為、他の電気を引き込む必要とせず、単独で機能させる事が出来る。
【先行技術文献】
【特許文献】
【０００５】
【特許文献１】特開２０１８−１６６３７２
【発明の概要】
【発明が解決しようとする課題】
【０００６】
解決しようとする問題点は、検針に人が出向かなくて済む。
【発明の効果】
【０００７】
本発明は、メーター検針遠隔化に必要な電気を、自分で発電することである。
【図面の簡単な説明】
【０００８】
【図１】図面は抵抗を少なくするために、細長くしてある。
【実施例１】
【０００９】
風力水力の低下を抑えるため、細長くしてある。
【図１】
2020109905.tif 000003
(57)【要約】【課題】メガホンとしての機能を保持したまま、メッセージボードやうちわやハリセンなどメガホン以外の機能を備える。【解決手段】本発明のメガホンは紙からなる一枚の扇形台紙に、折り上げる為の折り線を扇形台紙の内側円弧から外側円弧に向けて複数設け、扇形台紙の左右両斜辺の一方に差込片を設け、差込片を受け入れられる様に、差し込み用切り込みを折り線の一つに形成する。【選択図】図５
2020109459.tif 000002
【特許請求の範囲】
【請求項１】
紙からなる一枚の扇形台紙に、折り上げる為の折り線を前記扇形台紙の内側円弧から外側円弧に向けて複数設け、前記扇形台紙の左右両斜辺の一方に差込片を設け、前記差込片を受け入れられる様に、差し込み用切り込みを折り線の一つに形成した角型メガホン。
【発明の詳細な説明】
【技術分野】
【０００１】本発明は一枚の扇形台紙に放射線状に折り線を設ける事により、用途が多機能に広がる角型メガホンである。
【背景技術】
【０００２】従来のメガホンは、メガホンとしての用途がメインであったが、他の用途にも対応できるように工夫されることが望まれている。
【発明の概要】
【発明が解決しようとする課題】
【０００３】メガホンとしての機能を保持したまま、「メッセージボード」や「うちわ」や「ハリセン（鳴り物）」など、メガホン以外の機能を備えたメガホンを提供することを課題とする。
【課題を解決するための手段】
【０００４】本発明の角型メガホンは、紙からなる一枚の扇形台紙に、折り上げる為の折り線を前記扇形台紙の内側円弧から外側円弧に向けて複数設け、前記扇形台紙の左右両斜辺の一方に差込片を設け、前記差込片を受け入れられる様に、差し込み用切り込みを折り線の一つに形成したことを特徴とする。
【発明の効果】
【０００５】一枚の扇形台紙に放射線状に折り線を設ける事により、メガホンとしての機能を保持したまま折り方を山折り谷折りに変化する事により「ハリセン（鳴り物）」や「うちわ」や「メガホン」の機能を備えることが可能になる。
【図面の簡単な説明】
【０００６】
【図１】本発明に係る角型メガホンの組立前の平面図である。
【図２】本発明に係る角型メガホンの組立て後の斜視図である。
【図３】本発明に係る角型メガホンを「メッセージボード」に使用した時の平面図である。
【図４】本発明に係る角型メガホンを「うちわ」に使用した時の斜視図である。
【図５】本発明に係る角型メガホンを「ハリセン」に使用した時の斜視図である。
【発明を実施するための形態】
【０００７】本発明を実施するための形態として、紙からなる一枚の扇形台紙（１）に、折り上げる為の折り線（２）を扇形台紙（１）の内側円弧から外側円弧に向けて複数設ける。また左右両斜辺の一方に差込片を設け、前記差込片を受け入れられる様に、差し込み用切り込み（３）が折り線（２）の一つに形成されている。
平面の紙を自在に折り曲げることができる折り線（２）で折り曲げ、差し込み用切込み（３）に差込片（４）を差し込む事によって角型メガホンを形成する。
また、扇形台紙（１）を折らない場合は「メッセージボード」と使用し、扇形台紙（１）の中心の折り線（２）で２つ折りする事により「うちわ」として使用する。さらに複数の折り線（２）に従い交互に山折り谷折りする事で、「ハリセン」として使用する事ができる。
【０００８】本発明は、一枚の扇形台紙（１）に折り上げる為の折り線（２）を扇形台紙（１）の内側円弧から外側円弧に向けて複数設ける事により、折り線（２）に沿った面を強度にする事になり、メガホン以外の用途に多様化される。
【符号の説明】
【０００９】１  扇形台紙
２  折り線
３  差し込み用切り込み
４  差込片
【図１】
2020109459.tif 000003
【図２】
2020109459.tif 000004
【図３】
2020109459.tif 000005
【図４】
2020109459.tif 000006
【図５】
2020109459.tif 000007
(57)【要約】      （修正有）【課題】従来のエアゾール式の吸入器だけでは使うのが難しかった力のないお年寄りなどが使用できる自動のエアゾール式吸入器を提供する。【解決手段】音感知センサー５によって人による息の音を感知し、モーター４が動き、補助具８のプッシュ部分９とモーター４をつなぐひも３がまきとられ、補助具８のプッシュ部分９が下に下がることによって、エアゾール式の吸入器１のアルミ缶２が押されることにより、手で押さなくてもエアゾール式の吸入器１を使うことができる。【選択図】図１
2020096649.tif 000002
【特許請求の範囲】
【請求項１】
エアゾール式の吸入器とモーターをひもでつなぎ、音感知センサーによって動作する自動吸入器。
【発明の詳細な説明】
【技術分野】
【０００１】  本発明は自動でエアゾール式の吸入器を使えるようにしたものである。
【背景技術】
【０００２】  従来のエアゾール式の吸入器は、人がアルミ缶を手で押していた。吸入器のカウンターに、残りの回数が表示されていた。
【先行技術文献】
【特許文献】
【０００３】
【特許文献１】特許４２８９７９６
【発明の概要】
【発明が解決しようとする課題】
【０００４】  エアゾール式の吸入器は、アルミ缶を押して噴霧された液剤を吸い込む吸入器である。ガスの力で薬を噴霧するので吸入する力の弱い人でも使用できるが、アルミ缶を押すタイミングと吸い込むタイミングをあわせて吸入する必要がある。手に力がない人がエアゾール式の吸入器を使用しようとした時、自力でアルミ缶を押すことが困難である。吸入器の本体のカウンターに、残りの回数が表示されていたため、字が小さい。
【課題を解決するための手段】
【０００５】  そこで本発明は上記課題を解決するため、アルミ缶を手で押さなくてもできる方法を考案した。音感知センサーによって人の息を感知し、モーターがまわり、ひもがまきとられることによって、エアゾール式の吸入器を自動で動かすことができる。吸入器の本体のカウンター以外の場所に７セグメントＬＥＤで残りの回数を表示した。
【発明の効果】
【０００６】  音感知センサーによって人の息を感知し、モーターがまわり、ひもがまきとられることによって、エアゾール式の吸入器を自動で動かすことができる。その結果、力のないお年寄りなどでも簡単にエアゾール式の吸入器を使用することができる。吸入器の本体のカウンター以外の場所に７セグメントＬＥＤで残りの回数を表示することによって、視力が低下したお年寄りなどにとって見やすくなった。
【図面の簡単な説明】
【０００７】
【図１】  本発明の側方から見た外観図
【図２】  図１における側方から見たエアゾール式の吸入器部分の断面図
【図３】  エアゾール式の吸入器と補助具の装着前の外観図
【図４】  エアゾール式の吸入器と補助具の装着後の外観図
【図５】  吸入器使用前のひもを巻き取る前の外観図
【図６】  吸入器使用時のひもを巻き取り下がった時の外観図
【図７】  側方から見たエアゾール式の吸入器を使用する時の外観図
【発明を実施するための形態】
【０００８】  以下、本発明の実施の形態を図面に基づいて説明する。
【０００９】  音感知センサー［マイク］５によって人による息の音を感知し、モーター４が動き、補助具のプッシュ部分９とモーター４をつなぐひも３がまきとられ、（約１０秒）、補助具のプッシュ部分９が下に下がることによって、エアゾール式の吸入器のアルミ缶２が押され薬が出る。その後、ひも３をモーター４によって巻き戻し、７セグメントＬＥＤ６によって薬の残数を知らせる。エアゾール式の吸入器１に補助具８を装着して使う。マイコン・センサ回路７を用いて、モーター４と７セグメントＬＥＤ６の制御をした。
【産業上の利用可能性】
【００１０】  エアゾール式の吸入器をより簡単に使用できるようになり、他の介護なしでエアゾール式の吸入器を使えるようになり、新製品として販売できる可能性がある。
【符号の説明】
【００１１】１    エアゾール式の吸入器
２    エアゾール式の吸入器のアルミ缶
３    ひも
４    モーター
５    音感知センサー（マイク）
６    ７セグメントＬＥＤ
７    マイコン・センサ回路
８    補助具
９    補助具のプッシュ部分
１０  取手
【図１】
2020096649.tif 000003
【図２】
2020096649.tif 000004
【図３】
2020096649.tif 000005
【図４】
2020096649.tif 000006
【図５】
2020096649.tif 000007
【図６】
2020096649.tif 000008
【図７】
2020096649.tif 000009
(57)【要約】      （修正有）【課題】暑い夏とか、用事で出かけるとか、体の調子が悪い時には草花が枯れないようにプランターに毎日散水するのは大変なことであり、毎日散水しなくても草花が枯れない方法を提供する。【解決手段】箱型等、の貯水槽１０の側面上部に草花等の根が入るように、四方側面上部に、横長の穴をあけ、屋根８の軒を長くし、土に埋めた時貯水槽に土が入らないようにし、上部に入水口７を付ける。また、集水槽２は屋根の代わりに、小穴を無数に開けた仕切り板を集水槽内側の中程につけ、底の部分に出水口５を取り付たことを特徴とする、貯水槽＆集水槽。【選択図】図１
2020096577.tif 000002
【特許請求の範囲】
【請求項１】
箱型等の貯水槽の側面上部に根が入るように、横長の穴をあけ、屋根の部分に土等が入らないように長めの軒、中央上部に入水口をつけた貯水槽。
【請求項２】
箱型等の集水槽には屋根の代わりに、小穴を無数に開けた仕切り板を内側の中ほどに取り付け、水は通し、虫等が入らないようにする、また、底部分に出水口を付け貯水槽と水管で繋げた集水槽。
【請求項３】
貯水槽と集水槽を一体にして使用してもよい、貯水槽＆集水槽。
【発明の詳細な説明】
【技術分野】
【０００１】本発明は、プランター等の土の中に埋めて使用する、貯水槽と外に置く集水槽に関するものである。
【背景技術】
【０００２】従来のプランター等は、毎日のように、朝夕散水をしないと土が乾いてしまう。
【先行技術分献】
【０００３】
【特許文献１】特開２０１６−１３６８６６号広報
【特許文献２】特開２００８−１８２９７１号広報
【発明の概要】
【発明が解決しようとする課題】
【０００４】プランター等は小さいのですぐ土が乾いてしまう、なので頻繁に散水をしてあげないと、植物が枯れてしまう。
【課題を解決するための手段】
【０００５】箱型等の、貯水槽の側面上部に草花等の根が入るように、四方側面上部に横長の穴をあけ、屋根の部分の軒を長くし、土に埋めた時貯水槽に土が入らないようにし、上部に入水口を付ける。また、集水槽は屋根の代わりに、小穴を無数に開けた仕切板を集水槽内側の中ほどに取り付け上下を分ける，下部はじょうごの役目をし、また出水口を付け、貯水槽と集水槽を水管でつなげる。貯水槽と集水槽を一体にして使うこともできる。
【発明の効果】
【０００６】従来、プタンター等は小さいので天気の良い日には、すぐ土が乾くので頻繁に散水をしてあげないと、植物が枯れてしまう。本発明を使うことにより毎日散水をしなくてもよくなる。
【図面の簡単な説明】
【０００７】
【図１】本発明使用状態を示す側面断面図
【図２】本発明使用状態を示す平面図
【図３】本発明貯水槽の平面図
【図４】本発明使用状態を示す正面断面図
【発明を実施するための形態】
【０００８】以下、本発明の実施の形態を説明する。
（イ）ミニ貯水槽（１０）の側面上部に草，花等の根が入るように根入口（１１）を開け、屋根（８）を付ける、屋根（８）の上部に入水口（７）を付ける。
（ロ）集水槽（２）には、屋根（８）の代わりに小穴（４）を無数に開けた仕切り板（３）を集水槽（２）内側の中間に取り付け上下に分け、底の部分に出水口（５）を付ける。
（ハ）集水槽（２）と貯水槽（１０）を水管（６）でつなげる。
（ニ）集水槽（２）と貯水槽（１０）を、上下一対にし、全体を土に埋め使用してもよい．
本発明は、以上のような構造である。
本発明を使用するときは、プランター（１）の土の中に貯水槽（１０）を埋め、根入口（１１）に土が入らないように軒を長めにする。集水槽（２）は、土の上に出るように置き、またプランター（１）の縁に掛けるようにしてもよい。
布、砂利等を仕切り板（１０）の上に敷くことにより虫等が入らないようになる。水管（６）はチューブ等を使い出水口（５）と、入水口（７）を接続することにより雨、散水のとき水が貯水槽（１０）に溜まる。
【符号の説明】
【０００９】１  プランター、２  集水槽、３  仕切り板、４  小穴、５  出水口、６  水管、
７  入水口、８  屋根、９  軒、１０  貯水槽、１１  根入口
【図１】
2020096577.tif 000003
【図２】
2020096577.tif 000004
【図３】
2020096577.tif 000005
【図４】
2020096577.tif 000006
(57)【要約】【課題】ストーカー及び探偵業者などの第三者が、郵便受箱内に、配達投函された手紙及びハガキなどの郵便物を、棒の先に粘着物を装着した道具を投函口より差し入れて、郵便物に接着させる手法で抜き盗る、又は菜箸を投函口より差し入れて、箸で郵便物を摘まむ要領で抜き盗るなどして、郵便物に記載されている個人情報を容易に入手していたのを、防ぐことは不可能だった。  本発明は、郵便受箱内に配達投函された郵便物が、投函口より、抜き盗られるのを防止する郵便物盗難防止具を提供する。【解決手段】防止具本体に備えた頂部を分岐に、前方へ、装着する郵便受箱の底へ向かって軒のように突出下傾した緩やかに内側へ巻く弧形状で、郵便受箱に備えた投函口の横幅と同じ位の横幅のガード板部を設け、下方へ、装着する郵便受箱の底へ向かって垂直姿勢で、装着する際に接着する郵便受箱の前扉、又は表壁に対面平行する形状構成の背面部を設けて一体形成したことを特徴とした郵便物盗難防止具。【選択図】図１
2020096777.tif 000002
【特許請求の範囲】
【請求項１】
防止具本体に備えた頂部を分岐に、前方へ、装着する郵便受箱の底へ向かって軒のように突出下傾した緩く内側へ巻く弧形状で、郵便受箱に備えた投函口の横幅と同じ位の横幅のガード板部を設け、下方へ、装着する郵便受箱の底へ向かって垂直姿勢で、装着する際に接着する郵便受箱の前扉、又は表壁に対面平行する形状構成の背面部を設けて一体形成したことを特徴とする郵便物盗難防止具。
【請求項２】
該ガード板部の先端部位を、内側へ強く巻き込んで略円状にした巻先部を設けたことを特徴とする請求項１に記載の郵便物盗難防止具。
【発明の詳細な説明】
【技術分野】
【０００１】  本発明は、自宅及び集合住宅などの郵便受箱内部に装着して、配達投函された手紙及びハガキなどの郵便物が、投函口より、抜き盗られるのを防止する郵便物盗難防止具に関するものである
【背景技術】
【０００２】  従来、自宅及び集合住宅などの郵便箱内に、配達投函された手紙及びハガキなどの郵便物が、投函口より、抜き盗られるのを防止する防止具は、郵便受箱内に装着されていなかった。
尚、前面上部にスリット状の郵便物投入口を有し、裏面に郵便物取出蓋を有する郵便受箱において、上記投入口の下辺に郵便受箱内の奥に向かって下傾した郵便物投入ガイド板を框着し、郵便受箱の前面下部にインタフォン収納室を設け、該収納室の前面を防水通音の格子状板によって形成すると共に該収納室の裏面に設けた開閉扉と郵便物投入ガイド板の各下端に係合フックを設け、上記ガイド板上の適宣位置と郵便受箱上板下面の適宣位置にそれぞれ上記各係合フック固定用止め具を設けて成る郵便受箱が知られている（実用新案文献１参照）。
【先行技術文献】
【実用新案文献】
【０００３】
【実用新案文献１】
実開昭５６−１４０３７９号広報
【発明の概要】
【発明が解決しようとする課題】
【０００４】  ストーカー及び探偵業者などの第三者が、郵便受箱内に、配達投函された手紙及びハガキなどの郵便物を、棒の先に粘着物を装着した道具を投函口より差し入れて、郵便物に接着させる手法で抜き盗る、又は菜箸を投函口より差し入れて、箸で郵便物を摘まむ要領で抜き盗るなどして、郵便物に記載されている個人情報を容易に入手していたのを、防ぐことは不可能だった。
本発明は、以上の問題点を解決する為になされたものである。
【課題を解決するための手段】
【０００５】  防止具本体に備えた頂部を分岐に、前方へ、装着する郵便受箱の底へ向かって軒のように突出下傾した緩やかに内側へ巻く弧形状で、郵便受箱に備えた投函口の横幅と同じ位の横幅のガード板部を設け、下方へ、装着する郵便受箱の底へ向かって垂直姿勢で、装着する際に接着する郵便受箱の前扉、又は表壁に対面平行する形状構成の背面部を設けて一体形成する。
以上の構成よりなる郵便物盗難防止具。
【発明の効果】
【０００６】  従来不可能とされていた郵便受箱に配達投函された手紙及びハガキなどの郵便物を、ストーカー及び探偵業者などの第三者が、棒の先に粘着物を装着した道具を投函口より差し入れて、接着させて抜き盗る、又は菜箸を投函口より差し入れて、箸で摘まむ要領で抜き盗るなどしていたのを、防止することを本発明により可能にし、郵便物に記載されている個人情報が容易に第三者に知れるのを阻止できる。
本発明は、既存の郵便受箱に、老若男女が技術を必要としないで簡単に安価で装着出来、また、メーカーが郵便受箱自社製造で標準装備することで、他社郵便受箱との差別化販売が可能となり、売り上げに貢献する。
【図面の簡単な説明】
【０００７】
【図１】本発明の斜視図
【図２】本発明の郵便受箱左右開閉前扉に装着斜視図
【図３】本発明の郵便受箱表壁に装着斜視図
【図４】本発明の郵便受箱表壁に装着断面図
【発明を実施するための形態】
【０００８】  以下、本発明の実施の形態を説明する。
（イ）郵便物盗難防止具（１）は、防止具本体（２）に備えた頂部（３）を分岐に、前方      へ、装着する郵便受箱（Ａ）の底（Ｅ）へ向かって軒のように突出下傾した緩く内      側へ巻く弧形状で、郵便受箱（Ａ）に備えた投函口（Ｂ）の横幅と同じ位の横幅の      ガード板部を設ける。
（ロ）該頂部（３）は、板状の該防止具本体（２）を、直角状に二つ折りして成る折り目      の頂部位である。
（ハ）該頂部（３）を分岐に、下方へ、同じく装着する郵便受箱（Ａ）の底（Ｅ）へ向か      って垂直姿勢で、装着する際に接着する該郵便受箱（Ａ）の前扉（Ｃ），又は表壁      （Ｇ）に対面平行する形状構成の背面部（５）を設ける。
（ニ）該前扉（Ｃ）、及び該後扉（Ｆ）は、左右開閉と上下開閉がある。
（ホ）該ガード板部（４）の先端部位を、内側へ強く巻き込んで略円状にした巻先部（６      ）を設ける。
本発明は以上のような構造である。
本発明を使用する時は、既存の郵便受箱（Ａ）内部の投函口（Ｂ）の真下に位置する前扉（Ｃ）、又は表壁（Ｇ）の内側上部位先端付近の、該投函口（Ｂ）と併行状の適宣位置に、郵便物盗難防止具（１）の背面部（５）を、頂部（３）を上にした状態で、接着剤にて接着して装着する。該前扉（Ｃ）は、左右開閉と上下開閉があるが、装着位置は同じである。
該投函口（Ｂ）より配達投函された手紙やハガキなどの郵便物は、ガード板部（４）の表面を滑ってスムーズに底（Ｅ）へ落下する。
ストーカー及び探偵業者などの第三者が、棒の先に粘着物を装着した道具を該投函口（Ｂ）より差し入れて、郵便物に接着させて抜き盗る、又は菜箸を該投函口（Ｂ）より差し入れて、箸で摘まむ要領で抜き盗る行為を、該ガード板部（４）が物理的に不可能な状態（棒状の道具、又は菜箸が郵便物に到達出来ない）を成して、郵便物が該投函口（Ｂ）より抜き盗られるのを防止する。
又、メーカーが郵便受箱製造時に装着して、標準装備として販売することが出来る。
【符号の説明】
【０００９】  １郵便物盗難防止具、２防止具本体、３頂部、４ガード板部、５背面部、６巻先部、Ａ郵便受箱、Ｂ投函口、Ｃ前扉、Ｄ裏壁、Ｅ底、Ｆ後扉、Ｇ表壁
【図１】
2020096777.tif 000003
【図２】
2020096777.tif 000004
【図３】
2020096777.tif 000005
【図４】
2020096777.tif 000006
(57)【要約】      （修正有）【課題】足首関節を自分で制御することのできない患者が、歩行の補助のために用い、中足趾節関節部で踏み返しを行うことができ、中足趾節関節部の可動域を変更可能な短下肢装具を提供する。【解決手段】軟らかい内貼り５と硬い内貼り６のような硬度を変えた内貼りを面ファスナーで交換可能にする。硬度の違う内貼りを交換可能にすることで、短下肢装具の中足趾節関節部の可動性を変更できる。【選択図】図５
2020096776.tif 000002
【特許請求の範囲】
【請求項１】
足底の内貼りを取り換えることにより、中足趾節関節部の可動性を容易に変更できる短下肢装具。
【発明の詳細な説明】
【発明の詳細な説明】
【技術分野】
【０００１】  本発明は、足首関節を自分で制御することのできない患者が、歩行の補助のために用いる短下肢装具に関するものである。
【背景技術】
【０００２】  脳血管障害や頭部外傷、または腓骨神経麻痺などを起こし足が麻痺すると、足首関節を上に曲げることができなくなり、歩行を円滑に行えず爪先などをひっかけてしまう。そのため足首関節が歩行中に下がらないように短下肢装具を装着することがある。また、脳血管障害や頭部外傷におけるリハビリテーションの初期の段階では、短下肢装具よりも長い長下肢装具を装着し、立位・歩行訓練を行う。【０００３】  従来、短下肢装具は足が下に垂れないことを目的としているため、図１の１に示したように足底の材料（主にプラスチック素材）は爪先までかかっており、足の重量を支えるため、また爪先が床に引っかからないように硬い単一の材料を使用している。【０００４】  しかし図２に示すように、歩行中に中足趾節関節は最大５５°曲がるため、これを短下肢装具によって阻害してしまうと、図３のように中足趾節関節で踏み返しを行うことができなくなる。そのため良いほうの足で伸びあがり足を持ち上げるか、足を外側に振り回すなどして床面とのクリアランスを確保する必要があり、正常な歩行に近づけることが困難であった。【０００５】  特開２０１７−７９９２９号公報では爪先部の素材を変更することにより踏み返しを可能としている。しかしリハビリテーションの場面では患者の回復段階に応じて足首関節の可動域を変更している。中足趾節関節部に関しても同様にリハビリテーションの段階や患者の状態に応じた調整が必要となる。【０００６】  この問題を解決する方法として、硬度の違う内貼りを面ファスナーで容易に交換できるようにし、中足趾節関節部の可動性を変える。
【発明を実施するための形態】
【０００７】  以下、この発明の実施の形態について図面を参照し詳細に説明する。
【０００８】  図４は爪先部を切断した短下肢装具の斜視図である。
【０００９】  短下肢装具の２の部分の中足趾節関節部より爪先部を切断する。爪先部３の部分は切断される部分となる。これにより歩行中に中足趾節関節で踏み返しを行うことができる。
【００１０】  次にこの短下肢装具の足底に面ファスナーを足底部４の箇所に接着する。これはオスとメスどちらでも構わないが、後述する内貼りに接着する面ファスナーとは異なるようにする。
【００１１】  図５は内貼りを交換可能した短下肢装具を説明した斜視図である。
【００１２】  内貼りは軟らかい内貼り５と硬い内貼り６のように硬度の違うものを用意する。実際の硬度や枚数は患者の状態や身体や病気の状態によって決定する。軟らかいものは発泡ポリエチレンなどがよく、硬いものはカーボン繊維強化プラスチックなどを用いる。カーボンを用いることで内貼りが厚くなることを避けられる。他にもなるべく薄く、硬度が上がれば材料は問わない。
【００１３】  内貼りは足趾末端までの長さとし、短下肢装具の内側と接触する部分に短下肢装具に接着した面ファスナーとは違う方の面ファスナーを接着する。図５で示すように、硬度を変えた内貼りは面ファスナーで容易に交換することができる。
【００１４】  硬度の軟らかいものを使用した場合、図６のように歩行中に踏み返しをすることができる。
【先行技術文献】
【特許文献】
【００１４】
【特許文献１】特開２０１７−７９９２９号公報
【非特許文献】
【００１５】
【非特許文献１】Ｊａｃｑｕｅｌｉｎ  Ｐｅｒｒｙ著  「ペリー歩行分析―正常歩行と異常歩行」医歯薬出版株式会社  ２００７
【発明の概要】
【発明が解決しようとする課題】
【００１６】  本発明で解決しようとする問題点は、短下肢装具の中足趾節関節部の可動性をリハビリテーションの段階に応じて自由に変更できない点であり、短下肢装具の中足趾節関節部の可動性を自由に変更できるようにすることを課題とする。
【課題を解決するための手段】
【００１７】  本発明は、短下肢装具の足底の内貼りを面ファスナーで交換し、中足趾節関節部の可動性を容易に変更できることを最も主要な特徴とする。
【発明の効果】
【００１８】  本発明は、短下肢装具の内貼りを面ファスナーで交換することで、リハビリテーションの段階に応じて短下肢装具の中足趾節関節部の可動性を自由に変更できるという利点がある。
【図面の簡単な説明】
【００１９】
【図１】従来のプラスチック製短下肢装具の図である。
【図２】歩行中の中足趾節関節の動きの模式図である。
【図３】従来のプラスチック製短下肢装具での歩行中の踏み返しの図である。
【図４】短下肢装具の中足趾節関節部より先を切断する図である。
【図５】硬度の違う内貼りを交換する図である。
【図６】軟らかい内貼りを使用した短下肢装具での歩行中の踏み返しの図である。
【図１】
2020096776.tif 000003
【図２】
2020096776.tif 000004
【図３】
2020096776.tif 000005
【図４】
2020096776.tif 000006
【図５】
2020096776.tif 000007
【図６】
2020096776.tif 000008
(57)【要約】      （修正有）【課題】靴ひもの先端を容易に固定することができる靴ひも固定具を提供する。【解決手段】靴本体２０に固定されない靴ひも固定具１０であって、靴ひも固定具は、１対の面ファスナで構成されている。１対の面ファスナは、周縁の１部で相互に固定され、一方の裏面に靴ひもに取り付ける取付手段（スリット）を備える。【選択図】図１
2020096880.tif 000002
【特許請求の範囲】
【請求項１】
靴本体に固定されない靴ひも固定具であって、
前記靴ひも固定具は、１対の面ファスナで構成されている、靴ひも固定具。
【請求項２】
前記１対の面ファスナは、周縁の一部で相互に固定されている、請求項１に記載の靴ひも固定具。
【請求項３】
前記１対の面ファスナの一方の裏面に靴ひもに取り付ける取付手段を備える、請求項１または２に記載の靴ひも固定具。
【請求項４】
前記取付手段がスリットである、請求項３に記載の靴ひも固定具。
【発明の詳細な説明】
【技術分野】
【０００１】
本発明は、靴ひもの先端を容易に固定する靴ひも固定具に関する。
【背景技術】
【０００２】
運動靴や革靴の多くは靴ひもで靴を足に固定する。靴ひもは、使用している間にゆるんだり、ほどけたりする場合がある。また、日本では靴を脱ぐ習慣があるため、一旦靴ひもを緩めた後に、短距離の移動をする場合であっても、再度靴ひもを結ばないと、怪我などの原因となる。さらに、高齢化社会においては、靴ひもを結ぶという行為自体が困難を要する。
【０００３】
このような問題を解決するために、種々の提案がされている。例えば特許文献１には、構成部材の一部乃至は大分が蝶結びの一部または全部ともなり、剛性構造の部分が小さく、靴に配置される場合、靴全体の外観を美化することができる靴の留め具手段が開示されている。
【０００４】
また、特許文献２には、面ファスナーの一部を靴の両側面に固定し、固定されていない部分を、靴ひもを蝶結びにした輪にくぐらせ、折り返して靴に固定された部分に密着させて、靴ひもを靴に固定したものが提案されている。
【０００５】
しかし、特許文献１に記載の靴の留め具手段は、構造が複雑であり、靴ひもの先端を容易に固定することが難しい。
【０００６】
また、特許文献２に記載の固定手段は、靴に固定するので、靴ごとに別個の固定手段が必要となる。
【先行技術文献】
【特許文献】
【０００７】
【特許文献１】特開２００５−１７７００９号公報
【特許文献２】実用新案登録３１９１９４５号公報
【発明の概要】
【発明が解決しようとする課題】
【０００８】
解決しようとする問題点は、簡単な構造で靴ひもの先端を容易に固定することができない点である。
【課題を解決するための手段】
【０００９】
本発明は、靴ひもの先端を容易に固定することができる靴ひも固定具を提供するため、靴本体に固定されない靴ひも固定具であって、前記靴ひも固定具は、１対の面ファスナで構成されていることを最も主要な特徴とする。
【発明の効果】
【００１０】
本発明の靴ひも固定具は、靴本体に固定されないので、靴ひもを有する異なる靴に容易に用いることができる。また、靴ひも固定具は、１対の面ファスナで構成されているので、靴ひもの固定を極めて容易に行うことができる。
【図面の簡単な説明】
【００１１】
【図１】図１は、本発明靴ひも固定具の１実施例の斜面図である。
【図２】図２は、本発明の靴ひも固定具１０の具体例の一例を示す概念図である。
【図３】図３は、靴ひも固定具１０に取付手段を設けた一例を示す概念図である。
【発明を実施するための形態】
【００１２】
靴本体に固定せずに、靴ひもの先端を容易に固定することができる靴ひも固定具を実現した。
【実施例１】
【００１３】
図１は、本発明靴ひも固定具の１実施例の斜面図である。
【００１４】
本発明の靴ひも固定具１０は、靴本体２０に固定されずに、別個に設けられている。本発明の靴ひも固定具１０は、靴ひもをひも穴を通した後に靴ひもの先端同士を結ばずに、靴ひもの先端同士を固定することができる。
【００１５】
図２は、本発明の靴ひも固定具１０の具体例の一例を示す概念図である。図２に示すように、本発明の靴ひも固定具１０は、１対の面ファスナ１１および１２で構成されている。図２の例では、１対の面ファスナ１１および１２は、周縁の一部で相互に固定されている。これにより、面ファスナの一方が紛失することを防止できる。しかし、１対の面ファスナ１１および１２は、周縁の一部で相互に固定されていなくてもよい。１対の面ファスナを靴ひも固定具１０として用いることにより、靴ひもの先端同士を結ばずに容易に固定することができる。
【００１６】
面ファスナの表面積は、靴ひもを固定することができる面積であれば、特に制限されない。また、面ファスナの形状は、図２に示す形状に限らず、任意の形状であればよい。靴ひも固定具１０の一対の面ファスナの外部に接する面ファスナ１１上には、装飾を施してもよい。装飾としては、特に制限はなく、靴メーカのマークやチームのマークなど、任意の装飾を用いることができる。
【００１７】
装飾は、例えば靴ひも固定具１０の一対の面ファスナの一方の面１１の外側に装飾を施した布、プラスチックシートなどを面１１の外側の周縁を縫い付ける、接着剤層を介して貼り付けるなどの公知の方法によって行うことができる。
【００１８】
本発明の靴ひも固定具１０は、靴ひもに取り付けるための取付手段を有してもよく、取付手段を有さずに靴ひもに固定せずに用いてもよい。図３は、靴ひも固定具１０に取付手段を設けた一例を示す概念図である。
【００１９】
図３の例では、靴ひも固定具１０の一対の面ファスナの他方の面１２の外側の周縁に、布、プラスチックシート１４などを縫い付け、スリット１５を設けたものである。靴ひもをひも穴に通す際に、靴ひもをこのスリット１５に通すことにより、靴ひも固定具１０を靴ひもに固定し、靴ひも固定具１０の紛失を防止することができる。
【００２０】
取付手段１５は、靴ひも固定具１０をひも穴に通した靴紐に取り付けることができるものであれば、図３の例に限らない。例えば、一対の面ファスナの他方の面１２の外側の周縁の一部に、帯状の布、プラスチックシートなどを縫い付ける、または帯状の一対の面ファスナを設けるなどの方法によるなどが挙げられる。
【産業上の利用可能性】
【００２１】
靴本体に固定しない靴ひも固定具を用いるので、靴ひもを用いる任意の靴に使用することができる。この結果、一時的な使用にも対応することができる。また、１対の面ファスナを用いて靴ひもを固定するので、容易に靴ひもを固定することができる。靴ひも固定具を靴ひもに取り付ける取付手段を有する場合には、靴ひも固定具の紛失を防止することができる。
【符号の説明】
【００２２】
１０    靴ひも固定具
１１    面ファスナの一方の面
１２    面ファスナの他方の面
１４    布、プラスチックシート
１５    スリット
２０    靴本体
【図１】
2020096880.tif 000003
【図２】
2020096880.tif 000004
【図３】
2020096880.tif 000005